(57)【要約】【課題】  放送付加情報のダウンロード処理やチャンネルスキャン処理による視聴中断や録画不可能な状態を防ぐことや、受信端末装置に必要な放送付加情報の取得効率を高速に行う受信端末装置を提供することにある。【解決手段】  本発明の放送付加情報が付加された放送波を受信する受信端末装置は、上記の目的を達成するために、放送波に付加された放送付加情報を分離する多重分離部と、前記多重分離部により分離された放送付加情報を記憶する記録部と、他の放送受信装置との間で放送付加情報の送受信をおこなう情報送受信部と、前記記録部に記録された放送付加情報の更新をおこなう情報管理部と、を備える構成とした。これにより、複数の受信端末装置の間で、放送付加情報の更新を個々に放送波を受信することなく共有できるようにした。【選択図】図１
2008289023.tif 000002
【特許請求の範囲】
【請求項１】
放送付加情報が付加された放送波を受信する放送受信装置において、
放送波に付加された放送付加情報を分離する多重分離部と、
前記多重分離部により分離された放送付加情報を記憶する記録部と、
他の放送受信装置との間で放送付加情報の送受信をおこなう情報送受信部と、
前記記録部に記録された放送付加情報の更新をおこなう情報管理部と、を備えたことを特徴とする放送受信装置。
【請求項２】
請求項１に記載の放送受信装置において、
前記記録部には、放送付加情報の識別子ごとに取得時間とバージョン情報を記録する記録情報テーブルと放送付加情報の種別ごとにバージョン情報と放送付加情報内容を記録する放送付加情報テーブルを含むことを特徴とする放送受信装置。
【請求項３】
請求項１に記載の放送受信装置において、
前記情報管理部が前記記録部の放送付加情報の更新をおこなったときに前記情報送受信部は他の放送受信装置に放送付加情報の識別子ごとに取得時間とバージョン情報を記録する記録情報テーブルを通知することを特徴とする放送受信装置。
【請求項４】
請求項１に記載の放送受信装置において、
前記情報送受信部が他の放送受信装置から放送付加情報の識別子ごとに取得時間とバージョン情報を記録する記録情報テーブルを取得したときに、前記情報管理部は放送付加情報の更新判定をおこない他の放送受信装置に放送付加情報の取得要求をおこなうことを特徴とする放送受信装置。
【発明の詳細な説明】
【技術分野】
【０００１】
本発明は、放送波に多重化された放送付加情報を円滑に取得更新するのに有用な技術に関するものである。
【背景技術】
【０００２】
近年、放送のデジタル化によるマルチメディアサービスの登場により、受信端末装置はソフトウェアによる処理を有することになってきている。そのため、受信端末装置の中のソフトウェアを更新・追加することにより、ハードウェアを追加したり、買い換えたりすることなく、より高度なサービスや受信端末装置の実現が可能になった。これにより、各受信端末装置の機能及び全受信端末装置共通のデータの更新、並びに、新サービス用受信端末装置プログラムの追加等のサービスを行うことが可能となる。
【０００３】
このようなダウンロードサービスは、重要なマルチメディアサービスのひとつとして位置付けられている。伝送プロトコルとして、マルチメディアの伝送プロトコルであるＤＳＭ−ＣＣデータカルーセルを用いることとし、世界標準方式であるＭＰＥＧのＤＳＭ−ＣＣ規格の採用により、通信及びコンピュータ分野、さらには地上やケーブルなどの他のメディアとも、整合性が図られている。また、この方式では、ＤＳＭ−ＣＣをもとに、ダウンロードの形態及びダウンロードの更新先の指定に柔軟な選択性が確保されている。
【０００４】
ダウンロードの形態としては、視聴者の選択による選択型、放送事業者等により強制的に更新・追加を行う強制型、通常番組視聴時で所望のデータが到達した時に番組視聴に影響を及ぼさずにダウンロードを行う自動型、及び、番組非視聴時にダウンロードスケジュールの告知情報に基づいて受信装置の立ち上げ動作を行い、ダウンロードを行う告知型などが選択可能である。
【０００５】
更新先としては、機種ごと、機種の集合体であるグループごと、及び全受信装置対象などが指定可能である。さらに、全受信端末装置のプログラム更新、及び指定されたモジュール単位での更新など、更新モジュールの柔軟な選択も可能である。放送局はこのようなダウンロードサービスを用いることで、映像や音声等の他に放送付加情報として受信端末装置に送出することが可能になった。
【０００６】
また放送のデジタル化によって、アナログ放送より画質・音質の相対的な向上や圧縮技術の利用により、放送の多チャンネル化が期待できるようになった。このような多チャンネル化に対応する方法として、ある周波数からある周波数まで放送信号があるか否かサーチし、受信可能なチャンネルの一覧データベースを構築するチャンネルスキャン（順次選局）により、視聴者が番組を視聴可能になることを実現している。
【０００７】
各チャンネルの周波数の割当ては、地域単位により異なる。チャンネルスキャン中は、放送波に含まれるストリーム構成情報や放送局情報、番組情報（ＰＳＩ／ＳＩ情報）を取得し、チャンネルデータベースであるチャンネルリストを構築することができる。地上デジタルテレビジョン放送におけるチャンネルスキャンについての電波産業会の運用規定（ＡＲＩＢ  ＴＲ−Ｂ１４）では、受信地点における全受信可能チャンネルをサーチするように定められている。但し、検索対象となる周波数が広範囲になるにつれて、実行にかかる時間も長時間になることが予想され、チャンネルスキャンの効率化が問題になる。
【０００８】
特許文献１では、複数のチューナで構成される受信端末装置において、スキャン対象周波数をチューナ毎に分割して処理を行い、デジタル放送のチャンネル情報や、全受信機共通データの事業者局ロゴマークの取得を高速に行える方法を述べている。
【０００９】
【特許文献１】特開２００６−２５０７３号公報
【発明の開示】
【発明が解決しようとする課題】
【００１０】
上記に説明したように放送付加情報は、放送波の一部に多重化されて伝送チャンネルごとに送付される。このため、複数の放送付加情報の取得・更新をおこなう場合には、チャンネルを順次設定して放送付加情報を取得・更新する必要がある。また、装置のソフトウェア更新等のダウンロードサービスは、予め定められた時刻にダウンロードデータが送信されている。
【００１１】
このため、ユーザがTVを試聴していたり、予約録画をおこなっていると、全ての放送付加情報を取得できない問題がある。さらに、放送付加情報を取得中には、TV視聴ができない問題や予約録画ができない問題がある。
【００１２】
本発明の目的は、上記の放送付加情報のダウンロード処理やチャンネルスキャン処理による視聴中断や録画不可能な状態を防ぐことや、受信端末装置に必要な放送付加情報の取得効率を高速に行う受信端末装置を提供することにある。
【課題を解決するための手段】
【００１３】
本発明の放送付加情報が付加された放送波を受信する受信端末装置は、上記の目的を達成するために、放送波に付加された放送付加情報を分離する多重分離部と、前記多重分離部により分離された放送付加情報を記憶する記録部と、他の放送受信装置との間で放送付加情報の送受信をおこなう情報送受信部と、前記記録部に記録された放送付加情報の更新をおこなう情報管理部と、を備える構成とした。
【００１４】
そして、この構成により、複数の受信端末装置の間で、放送付加情報の更新を個々に放送波を受信することなく共有できるようにした。
【発明の効果】
【００１５】
本発明では、放送付加情報を他の受信端末装置から自動的に取得することができるため、利用者が意識すること無く受信端末装置の状態を更新することができるという利点がある。
【発明を実施するための最良の形態】
【００１６】
以下に、本発明の実施の形態を説明する。
【実施例１】
【００１７】
本発明の第一の実施例について、図１と図４と図５と図７と図６と図８と図９を用いて説明する。
図１は本発明の有線で接続された受信端末装置間でチャンネル情報、全受信機共通データ（事業者ロゴマーク、地域ごとの周波数リスト・変更情報、ジャンルコード表、番組特性コード表、予約語表など、受信機で共通に利用される情報）、番組情報、受信機ソフトウェアなどの放送付加情報を送受信する第一の実施例である。
【００１８】
本実施例ではアンテナ１０１と、受信端末装置A１０２、受信端末装置B１０３によって構成される。受信端末装置A１０２は、アンテナ１０１を制御し放送波を受信する放送受信部１０４と、映像・音声情報と放送付加情報を分離する多重分離部１０５と、端末装置を制御するシステム制御部１０６と、多重分離部１０５で分離された放送付加情報を整理し、また情報の管理を行う記憶情報管理部１０７と、放送付加情報を記憶する記憶部１０８と、受信端末装置Bと通信を行う送受信部１０９と、通信経路である１１０を備えている。
【００１９】
図４は第一の実施例で、多重分離部１０５で分離された放送付加情報を記憶情報管理部１０７で整理し、受信端末装置内の記憶部１０８に記憶する情報の例である。記憶部４０１では、記憶部で記憶している情報を管理する記憶情報テーブル４０２と、放送付加情報テーブル４０３で構成される。放送付加情報テーブルには、放送の受信可能なチャンネルのチャンネル情報を記憶したチャンネル情報テーブル４０４、送局から送出される全受信機共通データを記憶した全受信機共通データテーブル（事業者ロゴマーク、地域ごとの周波数リスト・変更情報、ジャンルコード表、番組特性コード表、予約語表など、受信機で共通に利用される情報）４０５、放送付加情報として放送局から送出されるソフトウェアを記憶した受信機ソフトウェアテーブル４０７などの放送付加情報が記憶される。
【００２０】
図５は第一の実施例で、図４で示した記憶部で記憶している情報を管理する記憶情報テーブル４０２の詳細について説明した例である。記憶情報テーブル５０１には、放送付加情報テーブルに記憶されたテーブルを識別するテーブル識別子５０２と、放送付加情報を取得した日時を記憶した取得時間５０３と、記録された放送付加情報のデータを識別するバージョン情報５０４と、記録された付加情報の内容を記録する取得情報５０５で構成される。
【００２１】
取得情報５０５は各種付加情報毎に使われる情報で、図５の例ではチャンネル情報の取得情報５０６ではチャンネル情報を取得した地域情報に使用し、事業者ロゴマーク情報の取得情報５０７では取得した放送局情報に使用し、番組情報の取得情報５０８では取得した放送局情報に使用し、受信機ソフトウェア情報の取得情報５０９では取得したソフトウェア情報（メーカ識別、モデル識別情報）に使用される。
【００２２】
図６は第一の実施例で、図４で示した記憶部で記憶している放送付加情報テーブル４０３を構成する４０４〜４０７の詳細について説明した例である。放送付加情報テーブル６０１には、図５で示したバージョン情報５０４としてバージョン情報６０２と、放送付加情報内容６０３で構成される。図６のように放送付加情報は複数のバージョンが記憶可能な構成になっていることを特徴としている。
【００２３】
図７、図８は第一の実施例で、受信端末装置A１０２が起動時あるいは、放送付加情報更新時に放送付加情報を取得する処理の詳細を説明した図である。放送付加情報更新時とは、チャンネルスキャン時のチャネル情報取得時、全受信機共通データや受信機ソフトウェアのダウンロード時などの自動更新やユーザが更新を指示した時などのことである。
【００２４】
まず図７を用いて受信端末装置起動時の処理の流れを説明する。受信端末装置A１０２が起動すると、放送付加情報の更新処理が開始される（７０１）。最初に受信機内の記憶部１０８に記憶された記憶情報テーブル４０２を確認し、記憶された放送付加情報の内容を取得する（７０２）。
【００２５】
次に、Peer-to-Peerで接続された受信端末装置B１０３から記憶情報テーブル４０２を取得して受信機端末装置B１０３が記憶する放送付加情報の内容を取得する（７０３）。取得した記録情報テーブルをもとに受信機端末装置A１０２の放送付加情報テーブル４０３が最新の情報に更新されるような判定を行う（７０４）。
【００２６】
受信端末装置B１０３の放送付加情報を取得する必要があった場合は、受信端末装置Bに情報要求して、放送付加情報を取得して記憶部１０８の情報を更新あるいは追加を行う（７０５）。取得する放送付加情報が受信端末装置B１０３に無いと判断した場合（７０４）や受信端末装置B１０３から情報取得後は処理を終了する（７０６）。
【００２７】
次に図８を用いて放送付加情報更新時の処理の流れを説明する。ユーザが更新を指示した場合や放送波から更新要求を受け取った場合や放送波から放送付加情報を取得する場合に、更新処理が開始される（８０１）。７０２〜７０４は図７の説明と同様の手順で処理を行う（７０２〜７０４）。
【００２８】
受信端末装置B１０３の放送付加情報を取得する必要があった場合は、受信端末装置Bに情報要求して、放送付加情報を取得して記憶部１０８の情報を更新あるいは追加を行い（７０５）、取得した情報の取得時刻やバージョン情報から放送付加情報を取得する必要があると判断（８０７）した場合は、放送波から放送付加情報の取得を行う（８０８）。
【００２９】
放送付加情報を取得する必要が無いと判断（８０７）した場合は、情報取得後は処理を終了する（７０６）。取得する放送付加情報が受信端末装置B１０３に無いと判断した場合（７０４）は、放送波から放送付加情報の取得を行い（８０８）処理を終了する（７０６）。
【００３０】
図９は、放送波から放送付加情報を取得した場合に、取得した放送付加情報を送信する処理の詳細を説明したフロー図である。まず受信端末装置A１０２が第一の実施例の手順で放送付加情報を取得し、記憶部１０８の情報を更新する（９０１、９０２）。受信端末装置A１０２は第一の実施例で取得した受信端末装置B１０３の記憶情報テーブル４０２から受信端末装置B１０３が取得していない放送付加情報や情報が新しい放送付加情報に関しての記憶情報テーブル９０３を受信端末装置B１０３に送信する（９０４）。
【００３１】
続いて、受信端末装置B１０３は受信した記憶情報テーブル９０３と受信端末装置B１０３が記憶している記憶情報テーブル４０２から受信端末装置A１０２から取得する放送付加情報を判定する（９０５）。９０５で取得すると判定された放送付加情報の取得要求を受信端末装置A１０２に送信する（９０６）。受信端末装置A１０２は受信端末装置B１０３から要求された放送付加情報９０７を受信端末装置B１０３へ送信する（９０８）。受信端末装置B１０３は取得した放送付加情報９０７を記憶部へ更新する（９０９）。
【００３２】
受信端末装置が無線で接続された場合でも本実施例と同様な手順で放送付加情報の取得が可能である。
【実施例２】
【００３３】
本発明の第二の実施例について、図２と図４と図１０と図１１と図１２を用いて説明する。図２は本発明のネットワーク間で接続された受信端末装置間で放送付加情報を送受信する第二の実施例である。本実施例ではアンテナ２０１と、受信端末装置A２０２、受信端末装置B２０３、受信端末装置C２０４がネットワークである２１１を備えることで構成される。
【００３４】
送受信端末装置A２０２は、アンテナ２０１を制御し放送波を受信する放送受信部２０５と、映像・音声情報と放送付加情報を分離する多重分離部２０６と、端末装置を制御するシステム制御部２０７と、多重分離部２０６で分離された放送付加情報を整理し、また情報の管理を行う記憶情報管理部２０９と、放送付加情報を記憶する記憶部２０９と、受信端末装置Bと通信を行う送受信部２１０と、ネットワークである２１１を備えている。
【００３５】
図１０、図１１は第二の実施例で、受信端末装置A２０２が起動時あるいは、放送付加情報更新時に放送付加情報を取得する処理の詳細を説明した図である。放送付加情報更新時とは、第一の実施例と同様である。
【００３６】
まず図１０を用いて受信端末装置起動時の処理の流れについて説明する。受信端末装置A２０２が起動すると、放送付加情報の更新処理が開始される（１００１）。最初に受信機内の記憶部２０９に記憶された記憶情報テーブル４０２を確認し、記憶されている放送付加情報の内容を取得する（１００２）。
【００３７】
次に、ネットワーク内の受信端末装置を検索し（１００３）、検索された受信端末装置B２０３から記憶情報テーブル４０２を取得して受信機端末装置B２０３が記憶する放送付加情報の内容を取得する（１００４）。検索される受信端末装置が複数存在する場合は同様の処理を繰り返し（１００５）、記憶情報テーブル４０２を取得する。１００３の処理において、ネットワークに接続さている受信端末装置の検索には、UPnP(Universal Plug & Play)等を使用して接続、検索を行う。
【００３８】
受信端末装置B２０３や受信端末装置C２０４から取得した記録情報テーブルをもとに受信機端末装置A２０２の放送付加情報テーブル４０３が最新の情報に更新されるように、放送付加情報毎にどの受信端末装置から情報を取得するかの判定を行う（１００６）。受信端末装置B２０３の放送付加情報を取得する必要があった場合は、受信端末装置B２０３に情報要求して、放送付加情報を取得して記憶部２０９の情報を更新あるいは追加を行う（１００７）。同様の手段を用いて、受信端末装置C２０４からも放送付加情報を取得する（１００７）。取得する放送付加情報が受信端末装置B２０３や受信端末装置C２０４に無いと判断した場合（１００６）や受信端末装置B２０３や受信端末装置C２０４から放送付加情報取得後は処理を終了する（１００８）。
【００３９】
次に図１１を用いて放送付加情報更新時の処理の流れについて説明する。ユーザが更新を指示した場合や放送波から更新要求を受け取った場合や放送波から放送付加情報を取得する場合に、更新処理が開始される（１１０１）。１００２〜１００４は図１０の説明と同様の手順で処理を行う（１００２〜１００４）。
【００４０】
受信端末装置B２０３や受信端末装置C２０４の放送付加情報を取得する必要があった場合も、図１０の説明と同様の手順で放送付加情報を取得し、記憶部２０９の情報を更新あるいは追加を行い（１００７）、取得した情報の取得時刻やバージョン情報から放送付加情報を取得する必要があると判断（１１０９）した場合は、放送波から放送付加情報の取得を行う（１１１０）。取得する放送付加情報が受信端末装置B２０３や受信端末装置C２０４に無いと判断した場合（１００６）は、放送波から放送付加情報の取得を行い（１１１０）処理を終了する（１００８）。
【００４１】
図１２は第二の実施例で、放送波から放送付加情報を取得した場合に、ネットワーク２１１で接続された受信端末装置B２０３や受信端末装置C２０４へ取得した放送付加情報を送信する処理の詳細を説明したフロー図である。
【００４２】
まず、受信端末装置A２０２が第三の実施例の手順で放送付加情報を取得し、記憶部２０９の情報を更新する（１２０１、１２０２）。受信端末装置A２０２は第一の実施例で取得した受信端末装置B２０３や受信端末装置C２０４の記憶情報テーブル４０２から受信端末装置B２０２や受信端末装置C２０４が取得していない放送付加情報や受信端末装置A２０２が記憶している放送付加情報が新しいと判断した放送付加情報に関しての記憶情報テーブル１２０３を受信端末装置B２０３に、記憶情報テーブル１２０４を受信端末装置C２０４に送信する（１２０５）。
【００４３】
続いて、受信端末装置B２０３は受信した記憶情報テーブル１２０３と受信端末装置B２０３が記憶している記憶情報テーブル４０２から受信端末装置A２０１から取得する放送付加情報を判定する（１２０６）。受信端末装置C２０４も同様の手順で取得する放送付加情報を判定する（１２０６）。１２０６で取得すると判定された放送付加情報の取得要求を受信端末装置A２０２に送信する（１２０７）。
【００４４】
受信端末装置A２０２は受信端末装置B２０３や受信端末装置C２０４から要求された放送付加情報１２０８、１２０９を送信する（１２１０）。受信端末装置B２０３や受信端末装置C２０４は取得した放送付加情報１２０８、１２０９をそれぞれの記憶部へ更新する（１２１１）。
【００４５】
本実施例では３台の受信端末装置間で実装する例を示しているが、２台以下あるいは３台以上の受信端末装置がネットワーク内にある場合でも実施例３の手順と同様の処理で放送付加情報の取得が可能である。
【実施例３】
【００４６】
本発明の第三の実施例について、図３と図４と図１３と図１４を用いて説明する。図３は受信機端末に接続された外部記憶装置間とで放送付加情報を送受信する実施例である。本実施例ではアンテナ３０１と、受信端末装置A３０２、外部記憶装置３０３が接続されることで構成される。
【００４７】
送受信端末装置A３０２は、アンテナ３０１を制御し放送波を受信する放送受信部３０４と、映像・音声情報と放送付加情報を分離する多重分離部３０５と、端末装置を制御するシステム制御部３０６と、多重分離部３０５で分離された放送付加情報を整理し、また情報の管理を行う記憶情報管理部３０７と、放送付加情報を記憶する記憶部３０８と、外部記憶装置を制御し、情報の読み書きを行う外部記憶装置制御部３０９を備えている。外部記憶装置とはiVDR(Information Versatile Disk for Removable usage)やフラッシュメモリ等、データの消去・書き込みを自由に行なうことができる記憶部を持つデバイスを想定する。ここでは，iVDRを例に説明する。また、外部記憶装置には図４で示したような例の記憶部を持つことを想定する。
【００４８】
図１３、図１４は第三の実施例で、受信端末装置A３０２が起動時あるいは、外部記憶装置が接続された時、放送付加情報更新時に放送付加情報を取得する処理の詳細を説明した図である。放送付加情報更新時とは、第一の実施例と同様である。
【００４９】
まず、図１３を用いて受信端末装置の起動時や外部記憶装置が接続された場合の処理の流れについて説明する。受信端末装置A３０２が起動した場合や、外部記憶装置３０３が接続されると、放送付加情報の更新処理が開始される（１３０１）。最初に受信機内の記憶部３０８に記憶された記憶情報テーブル４０２を確認し、記憶されている放送付加情報の内容を取得する（１３０２）。次に、外部記憶装置３０３から記憶情報テーブル４０２を取得して外部記憶装置３０３が記憶する放送付加情報の内容を取得する（１３０３）。
【００５０】
外部記憶装置３０３から取得した記録情報テーブル４０２から受信機端末装置A３０２の放送付加情報テーブル４０３が最新の情報に更新されるように、放送付加情報毎に情報の取得を行うか判定する（１３０４）。外部記憶装置３０３の放送付加情報を取得する必要があった場合は、外部記憶装置３０３から放送付加情報を読み出し、記憶部３０８の情報を更新あるいは追加を行う（１３０５）。取得する放送付加情報が外部記憶装置３０３に無いと判断した場合（１３０４）や外部記憶装置３０３から放送付加情報取得後は処理を終了する（１３０６）。
【００５１】
次に図１４を用いて放送付加情報更新時の処理の流れについて説明する。ユーザが更新を指示した場合や放送波から更新要求を受け取った場合や放送波から放送付加情報を取得する場合に、更新処理が開始される（１４０１）。１３０２〜１３０４は図１３の説明と同様の手順で処理を行う（１３０２〜１３０４）。
【００５２】
外部記憶装置３０３の放送付加情報を取得する必要があった場合も、図１３の説明と同様の手順で放送付加情報を取得し、記憶部３０８の情報を更新あるいは追加を行い（１３０５）、取得した情報の取得時刻やバージョン情報から放送付加情報を取得する必要があると判断（１４０７）した場合は、放送波から放送付加情報の取得を行う（１４０８）。また、取得する放送付加情報が外部記憶装置３０３に無いと判断した場合（１３０４）は、放送波から放送付加情報の取得を行い（１４０８）、放送波から放送付加情報を取得した後に、取得した放送付加情報を外部記憶装置３０３へ書き込み（１４０９）、処理を終了する（１３０６）。
【００５３】
本実施例では外部記憶装置が一つで実装する例を示しているが、２つ以上の外部記憶装置があった場合でも本実施例と同様の手順で放送付加情報の取得が可能である。また、本発明の第三の実施例で用いた外部記憶装置３０３を他の受信端末装置に接続することで、放送付加情報テーブル４０３の追加・更新が容易に可能となる。
【図面の簡単な説明】
【００５４】
【図１】本発明の受信端末装置の第一の実施例を示した図である。
【図２】本発明の受信端末装置の第二の実施例を示した図である。
【図３】本発明の受信端末装置の第三の実施例を示した図である。
【図４】本発明の受信端末装置や外部記憶装置における記憶部の構成を示した図である。
【図５】本発明の受信端末装置や外部記憶装置における記憶情報テーブルの構成を示した図である。
【図６】本発明の受信端末装置や外部記憶装置における放送付加情報テーブルの構成を示した図である。
【図７】本発明の受信端末装置の第一の実施例における放送付加情報の取得手順の処理を説明した図である。
【図８】本発明の受信端末装置の第一の実施例における放送付加情報の取得手順の処理を説明した図である。
【図９】本発明の受信端末装置の第一の実施例における放送付加情報の送信手順の処理を説明した図である。
【図１０】本発明の受信端末装置の第二の実施例における放送付加情報の取得手順の処理を説明した図である。
【図１１】本発明の受信端末装置の第二の実施例における放送付加情報の取得手順の処理を説明した図である。
【図１２】本発明の受信端末装置の第二の実施例における放送付加情報の送信手順の処理を説明した図である。
【図１３】本発明の受信端末装置の第三の実施例における放送付加情報の取得手順の処理を説明した図である。
【図１４】本発明の受信端末装置の第三の実施例における放送付加情報の取得手順の処理を説明した図である。
【符号の説明】
【００５５】
１０１…アンテナ、１０２…受信装置A、１０３…受信装置B、１０４…放送受信部、１０５…多重分離部、１０６…システム制御部、１０７…記憶情報管理部、１０８…記憶部、１０９…送受信部、１１０…通信経路、２０１…アンテナ、２０２…受信装置Ａ、２０３…受信装置Ｂ、２０４…受信装置Ｃ、２０５…放送受信部、２０６…多重分離部、２０７…システム制御部、２０８…記憶情報管理部、２０９…記憶部、２１０…送受信部、２１１…ネットワーク、３０１…アンテナ、３０２…受信装置Ａ、３０３…外部記憶装置、３０４…放送受信部、３０５…多重分離部、３０６…システム制御部、３０７…記憶情報管理部、３０８…記憶部、３０９…外部記憶装置制御部
【図１】
2008289023.tif 000003
【図２】
2008289023.tif 000004
【図３】
2008289023.tif 000005
【図４】
2008289023.tif 000006
【図５】
2008289023.tif 000007
【図６】
2008289023.tif 000008
【図７】
2008289023.tif 000009
【図８】
2008289023.tif 000010
【図９】
2008289023.tif 000011
【図１０】
2008289023.tif 000012
【図１１】
2008289023.tif 000013
【図１２】
2008289023.tif 000014
【図１３】
2008289023.tif 000015
【図１４】
2008289023.tif 000016